(57)【要約】【課題】昇降機構を容易に組み込むことができるトーンアームユニットを提供する。【解決手段】トーンアームユニット１２は、カートリッジ３０を先端部に取り付けるためのアーム部材２６と、アーム部材２６をレコード盤４に対して軸線に沿って昇降させるための昇降機構１６とを備える。昇降機構１６は、アーム部材２６を支持するカムベース３６と、カムベース３６に対して軸線を中心に回動可能に設けられたリングカム４０と、カムベース３６に形成され、リングカム４０の回動方向に沿って傾斜しながら延びる第１のガイド部４８と、リングカム４０に形成され、第１のガイド部４８に対向するように且つ回動方向に沿って傾斜しながら延びる第２のガイド部５６とを有する。カムベース３６は、リングカム４０がカムベース３６に対して回動した際に、第２のガイド部５６が第１のガイド部４８に沿ってスライドすることにより、リングカム４０に対して昇降する。【選択図】図７Ａ
2018106793.tif 000002
【特許請求の範囲】
【請求項１】
レコード盤を再生する再生装置に用いられるトーンアームユニットであって、
カートリッジを先端部に取り付けるためのアーム部材と、
前記アーム部材を前記レコード盤に対して所定の軸線に沿って昇降させるための昇降機構と、を備え、
前記昇降機構は、
前記アーム部材を支持する支持部材と、
前記支持部材に対して前記所定の軸線を中心に回動可能に設けられた回動部材と、
前記支持部材に形成され、前記回動部材の回動方向に沿って傾斜しながら延びる第１のガイド部と、
前記回動部材に形成され、前記第１のガイド部に対向するように且つ前記回動方向に沿って傾斜しながら延びる第２のガイド部と、を有し、
前記支持部材は、前記回動部材が前記支持部材に対して回動した際に、前記第２のガイド部が前記第１のガイド部に沿ってスライドすることにより、前記回動部材に対して昇降する
トーンアームユニット。
【請求項２】
前記昇降機構は、さらに、
前記回動部材に形成され、前記第２のガイド部に沿って延びる溝部と、
前記支持部材に形成され、前記溝部に移動可能に挿通された突部と、
前記突部の先端部に取り付けられた抜け止め部材と、を有する
請求項１に記載のトーンアームユニット。
【請求項３】
前記第１のガイド部及び前記第２のガイド部の各々は、前記回動方向に沿って複数並んで配置されている
請求項１又は２に記載のトーンアームユニット。
【請求項４】
前記トーンアームユニットは、さらに、前記回動部材の前記支持部材に対する回動をロックするためのロック機構を備え、
前記ロック機構は、
前記回動部材の外側面に配置された弾性部材と、
前記弾性部材に接触するロック位置と、前記弾性部材から離れる解除位置との間を移動可能な接触部材と、
前記接触部材を前記ロック位置と前記解除位置との間で移動させるための操作部材と、を有する
請求項１〜３のいずれか１項に記載のトーンアームユニット。
【請求項５】
前記弾性部材は、ゴム材料で形成され、前記回動部材の前記外側面の全周に亘ってリング状に延びている
請求項４に記載のトーンアームユニット。
【請求項６】
前記ロック機構は、さらに、前記接触部材を前記ロック位置から前記解除位置に向けて付勢する第１の付勢部材を有する
請求項４又は５に記載のトーンアームユニット。
【請求項７】
前記トーンアームユニットは、さらに、前記アーム部材の前記先端部を前記レコード盤に向けて下降させるためのリフター機構を備え、
前記リフター機構は、
前記アーム部材を載置する載置台であって、前記アーム部材の前記先端部を前記レコード盤から離す上限位置と、前記アーム部材の前記先端部を前記レコード盤に近付ける下限位置との間を昇降可能な載置台と、
前記載置台が前記上限位置から前記下限位置まで下降している際に、前記載置台に制動力を作用させるギアダンパーと、を有する
請求項１〜６のいずれか１項に記載のトーンアームユニット。
【請求項８】
前記リフター機構は、さらに、
前記載置台を前記上限位置から前記下限位置に向けて付勢する第２の付勢部材と、
前記載置台を前記上限位置に保持する第１の回動位置と、前記載置台の前記上限位置での保持を解除する第２の回動位置との間を回動するカム部材と、
前記カム部材を前記第１の回動位置と前記第２の回動位置との間で回動させるレバー部材と、を有する
請求項７に記載のトーンアームユニット。
【請求項９】
レコード盤を再生する再生装置であって、
前記レコード盤を載置するためのターンテーブルと、
前記ターンテーブルを回動させる駆動源と、
回動する前記ターンテーブルに載置された前記レコード盤から音声信号をピックアップする、請求項１〜８のいずれか１項に記載のトーンアームユニットと、を備える
再生装置。
【発明の詳細な説明】
【技術分野】
【０００１】
本開示は、トーンアームユニット及びこれを備えた再生装置に関する。
【背景技術】
【０００２】
レコード盤（アナログディスク）を再生する再生装置が知られている。再生装置には、レコード盤から音声信号をピックアップするためのトーンアームユニットが搭載されている（例えば、特許文献１参照）。トーンアームユニットは、本体部材と、本体部材に配置されたベース部材と、ベース部材に支持されたアーム部材とを備えている。アーム部材の先端部には、レコード針を有するカートリッジが着脱可能に取り付けられている。
【０００３】
レコード盤から音声信号を精度良くピックアップするためには、レコード針がレコード盤の溝をトレースする際に、アーム部材の姿勢を略水平に保つ必要がある。そのため、従来のトーンアームユニットには、アーム部材の姿勢が略水平となるように、アーム部材のレコード盤からの高さ位置を調節するための昇降機構が搭載されている。
【０００４】
昇降機構は、ベース部材と本体部材との間に回動可能に配置された調節リングを有している。調節リングの内側面及びベース部材の外側面の各々には６条ネジが形成されており、これらの６条ネジは互いに噛み合わされている。調節リングをベース部材に対して回動させることにより、ベース部材が本体部材に対して昇降し、アーム部材のレコード盤からの高さ位置が調節される。
【先行技術文献】
【特許文献】
【０００５】
【特許文献１】特開平６−１８７６０１号公報
【発明の概要】
【発明が解決しようとする課題】
【０００６】
本開示は、昇降機構を容易に組み込むことができるトーンアームユニット及び再生装置を提供する。
【課題を解決するための手段】
【０００７】
本開示におけるトーンアームユニットは、レコード盤を再生する再生装置に用いられるトーンアームユニットであって、カートリッジを先端部に取り付けるためのアーム部材と、アーム部材をレコード盤に対して所定の軸線に沿って昇降させるための昇降機構と、を備え、昇降機構は、アーム部材を支持する支持部材と、支持部材に対して所定の軸線を中心に回動可能に設けられた回動部材と、支持部材に形成され、回動部材の回動方向に沿って傾斜しながら延びる第１のガイド部と、回動部材に形成され、第１のガイド部に対向するように且つ回動方向に沿って傾斜しながら延びる第２のガイド部と、を有し、支持部材は、回動部材が支持部材に対して回動した際に、第２のガイド部が第１のガイド部に沿ってスライドすることにより、回動部材に対して昇降する。
【発明の効果】
【０００８】
本開示におけるトーンアームユニットによれば、昇降機構を容易に組み込むことができる。
【図面の簡単な説明】
【０００９】
【図１】実施の形態１に係る再生装置を示す斜視図である。
【図２】実施の形態１に係るトーンアームユニットを示す斜視図である。
【図３】実施の形態１に係るトーンアームユニットを示す分解斜視図である。
【図４】図３とは異なる角度から見た状態での、実施の形態１に係るトーンアームユニットを示す分解斜視図である。
【図５】実施の形態１に係る昇降機構を示す分解斜視図である。
【図６】図５とは異なる角度から見た状態での、実施の形態１に係る昇降機構を示す分解斜視図である。
【図７Ａ】アーム部材を最も下降させた状態での、図２のＶＩＩ−ＶＩＩ線断面図である。
【図７Ｂ】図７Ａの一部を拡大して示す断面斜視図である。
【図８Ａ】アーム部材を最も上昇させた状態での、図２のＶＩＩ−ＶＩＩ線断面図である。
【図８Ｂ】図８Ａの一部を拡大して示す断面斜視図である。
【図９】実施の形態１に係るロック機構を示す斜視図である。
【図１０】ロックプレートを省略した状態での、実施の形態１に係るロック機構を示す斜視図である。
【図１１】実施の形態１に係るロック機構の一部を抜き出して示す斜視図である。
【図１２Ａ】一対のロックサポートの各々が解除位置に位置している状態での、実施の形態１に係るトーンアームユニットを示す平面図である。
【図１２Ｂ】一対のロックサポートの各々が解除位置に位置している状態での、実施の形態１に係るロック機構の一部を拡大して示す図である。
【図１２Ｃ】一対のロックサポートの各々が解除位置に位置している状態での、図９のＸＩＩ−ＸＩＩ線断面図である。
【図１３Ａ】一対のロックサポートの各々がロック位置に位置している状態での、実施の形態１に係るトーンアームユニットを示す平面図である。
【図１３Ｂ】一対のロックサポートの各々がロック位置に位置している状態での、実施の形態１に係るロック機構の一部を拡大して示す図である。
【図１３Ｃ】一対のロックサポートの各々がロック位置に位置している状態での、図９のＸＩＩ−ＸＩＩ線断面図である。
【図１４Ａ】載置台が上限位置に位置している状態での、実施の形態１に係るリフター機構を示す斜視図である。
【図１４Ｂ】載置台が上限位置に位置している状態での、実施の形態１に係るリフター機構を示す側面図である。
【図１４Ｃ】載置台が上限位置に位置している状態での、実施の形態１に係るトーンアームユニットを示す側面図である。
【図１５Ａ】載置台が下限位置に位置している状態での、実施の形態１に係るリフター機構を示す斜視図である。
【図１５Ｂ】載置台が下限位置に位置している状態での、実施の形態１に係るリフター機構を示す側面図である。
【図１５Ｃ】載置台が下限位置に位置している状態での、実施の形態１に係るトーンアームユニットを示す側面図である。
【図１６】実施の形態２に係るロック機構を示す斜視図である。
【図１７】一対のロックサポート及びロックプレート等を省略した状態での、実施の形態２に係るロック機構を示す斜視図である。
【図１８】実施の形態２に係るロック機構の一部を抜き出して示す斜視図である。
【図１９】一対のロックサポートの各々が解除位置に位置している状態での、実施の形態２に係るロック機構を示す斜視図である。
【図２０】一対のロックサポートの各々がロック位置に位置している状態での、実施の形態２に係るロック機構を示す斜視図である。
【発明を実施するための形態】
【００１０】
（本開示の基礎となった知見）
本発明者らは、「背景技術」の欄において記載した技術に関し、以下の問題が生じることを見出した。
【００１１】
上述した従来のトーンアームユニットにおいて昇降機構を組み込む際には、まず、調節リングの内側面及びベース部材の外側面の各々に形成された６条ネジにグリスを塗布する。その後、調節リングの内側面に形成された６条ネジの６本のネジ山の端部と、ベース部材の外側面に形成された６条ネジの６本のネジ山の端部とをそれぞれ位置合わせしながら、各６条ネジを相互に噛み合わせる。しかしながら、このような構成では、昇降機構を組み込むための工数が増大するという問題が生じる。
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を十分に理解するために添付図面及び以下の説明を提供するのであって、これらによって特許請求の範囲に記載の主題を限定することを意図するものではない。
【００１４】
（実施の形態１）
以下、図１〜図１５Ｃを参照しながら、実施の形態１について説明する。
【００１５】
［１−１．再生装置の全体構成］
まず、図１を参照しながら、実施の形態１に係る再生装置２の全体構成について説明する。図１は、実施の形態１に係る再生装置２を示す斜視図である。
【００１６】
図１に示すように、再生装置２は、レコード盤４を再生するための装置（いわゆる、レコードプレーヤ）である。再生装置２は、筐体６と、ターンテーブル８と、駆動源１０と、トーンアームユニット１２とを備えている。
【００１７】
筐体６は、平面視で略矩形状の箱形状を有している。ターンテーブル８は、レコード盤４を載置するための円板状のテーブルであり、筐体６の上面に回動可能に支持されている。駆動源１０は、ターンテーブル８を回動させるためのモータであり、筐体６の内部に配置されている。
【００１８】
トーンアームユニット１２は、回動するターンテーブル８に載置されたレコード盤４から音声信号をピックアップするためのユニットであり、筐体６の上面においてターンテーブル８に隣接して配置されている。本実施の形態の再生装置２では、トーンアームユニット１２の構成に特徴がある。以下、トーンアームユニット１２の構成について詳細に説明する。
【００１９】
［１−２．トーンアームユニットの構成］
［１−２−１．トーンアームユニットの全体構成］
次に、図２〜図４を参照しながら、実施の形態１に係るトーンアームユニット１２の全体構成について説明する。図２は、実施の形態１に係るトーンアームユニット１２を示す斜視図である。図３は、実施の形態１に係るトーンアームユニット１２を示す分解斜視図である。図４は、図３とは異なる角度から見た状態での、実施の形態１に係るトーンアームユニット１２を示す分解斜視図である。
【００２０】
図２〜図４に示すように、トーンアームユニット１２は、トーンアーム部１４と、昇降機構１６と、ロック機構１８と、リフター機構２０とを備えている。以下、トーンアームユニット１２の上記各構成要素について詳細に説明する。
【００２１】
［１−２−２．トーンアーム部］
まず、図２〜図４を参照しながら、トーンアーム部１４について説明する。
【００２２】
図２〜図４に示すように、トーンアーム部１４は、アームベース２２と、支持機構２４と、アーム部材２６とを有している。
【００２３】
アームベース２２は、アーム部材２６等を支持するための部材であり、平面視で円形状に形成されている。
【００２４】
支持機構２４は、アーム部材２６の基端部を水平方向及び垂直方向に揺動可能に支持するための機構であり、アームベース２２の上面に配置されている。
【００２５】
アーム部材２６は、水平面内で略Ｓ字状に屈曲しながら長尺状に延びている。アーム部材２６の先端部には、ヘッドシェル２８が支持されている。ヘッドシェル２８には、レコード針を有するカートリッジ３０（図１参照）が着脱可能に取り付けられている。また、アーム部材２６の基端部には、ヘッドシェル２８との重量バランスを取るためのバランスウェイト３２が支持されている。
【００２６】
なお、レコード盤４を再生しない際には、ユーザは、アーム部材２６をアームベース２２の上面に配置されたフック状のアームレスト３４に支持させる。レコード盤４を再生する際には、ユーザは、アーム部材２６をアームレスト３４から取り外した後に、アーム部材２６を水平方向及び垂直方向に揺動させながら、載置台１２８（後述する）に載置させる。後述するように、載置台１２８がアーム部材２６を載置した状態で下降することにより、ヘッドシェル２８がターンテーブル８上のレコード盤４に近付き、カートリッジ３０のレコード針がレコード盤４の溝をトレースする。
【００２７】
［１−２−３．昇降機構］
［１−２−３−１．昇降機構の構成］
次に、図３〜図７Ｂを参照しながら、昇降機構１６の構成について説明する。図５は、実施の形態１に係る昇降機構１６を示す分解斜視図である。図６は、図５とは異なる角度から見た状態での、実施の形態１に係る昇降機構１６を示す分解斜視図である。図７Ａは、アーム部材２６を最も下降させた状態での、図２のＶＩＩ−ＶＩＩ線断面図である。図７Ｂは、図７Ａの一部を拡大して示す断面斜視図である。
【００２８】
昇降機構１６は、アーム部材２６をターンテーブル８上のレコード盤４に対して昇降させるための機構である。図３及び図４に示すように、昇降機構１６は、カムベース３６（支持部材の一例）と、センターシャフト３８と、リングカム４０（回動部材の一例）と、操作リング４２と、アームベースマウント４４とを有している。
【００２９】
図５〜図７Ａに示すように、カムベース３６は、円板状に形成されており、アームベース２２の下面に複数のネジ４６で固定されている。すなわち、カムベース３６は、アームベース２２を介してアーム部材２６を支持している。
【００３０】
図５に示すように、カムベース３６の下面における外周部には、複数（本実施の形態では３個）の第１のガイド部４８が形成されている。複数の第１のガイド部４８は、リングカム４０の回動方向（すなわち、カムベース３６の周方向）に沿って並んで配置されている。複数の第１のガイド部４８の各々は、リングカム４０の回動方向に沿って傾斜しながら延びている。すなわち、複数の第１のガイド部４８の各々は、山部４８ａから谷部４８ｂまで上り傾斜しながら円弧状に延びている。
【００３１】
さらに、図５に示すように、カムベース３６の下面における外周部には、複数（本実施の形態では３個）の突部５０が形成されている。複数の突部５０は、カムベース３６の下面から鉛直下方に延び、且つ、リングカム４０の回動方向に沿って間隔を置いて配置されている。複数の突部５０の各々の先端部には、抜け止め用ネジ５２を捻じ込むためのネジ孔５０ａが形成されている。
【００３２】
センターシャフト３８は、円柱状に形成され、カムベース３６の下面における中央部から鉛直下方に延びている。センターシャフト３８の中心軸線Ｃ１（所定の軸線の一例）は、鉛直方向に延び、後述するようにカムベース３６がリングカム４０に対して昇降する際の昇降軸線として機能する。さらに、センターシャフト３８の中心軸線Ｃ１は、後述するようにリングカム４０がカムベース３６に対して回動する際の回動軸線としても機能する。なお、センターシャフト３８は、例えば快削鋼又は真鍮等の金属で形成されている。
【００３３】
図５〜図７Ａに示すように、リングカム４０は、有底円筒状に形成されており、カムベース３６の外側面及び下面を覆う位置に配置されている。リングカム４０の底部における中央部には、センターシャフト３８を挿通するための円形状の孔５４が形成されている。リングカム４０は、センターシャフト３８の中心軸線Ｃ１を中心にカムベース３６に対して回動可能である。
【００３４】
図６に示すように、リングカム４０の底部の上面における外周部には、複数（本実施の形態では３個）の第２のガイド部５６が形成されている。複数の第２のガイド部５６はそれぞれ、複数の第１のガイド部４８に対応して、リングカム４０の回動方向（すなわち、リングカム４０の周方向）に沿って並んで配置されている。複数の第２のガイド部５６の各々は、対応する第１のガイド部４８に対向するように、且つ、リングカム４０の回動方向に沿って傾斜しながら延びている。すなわち、複数の第２のガイド部５６の各々は、谷部５６ｂから山部５６ａまで上り傾斜しながら円弧状に延びている。図７Ａ及び図７Ｂに示すように、複数の第２のガイド部５６はそれぞれ、複数の第１のガイド部４８に近接しており、第１のガイド部４８と第２のガイド部５６との間には例えば０．１ｍｍ程度の隙間が形成されている。
【００３５】
さらに、図５及び図６に示すように、リングカム４０の底部における外周部には、複数（本実施の形態では３個）の溝部５８が形成されている。複数の溝部５８はそれぞれ、複数の第２のガイド部５６に対応して、リングカム４０の回動方向に沿って間隔を置いて配置されている。複数の溝部５８の各々は、対応する第２のガイド部５６に沿って円弧状に延びている。複数の溝部５８にはそれぞれ、カムベース３６の複数の突部５０が移動可能に挿通されている。図５及び図７Ｂに示すように、複数の突部５０の各々のネジ孔５０ａには、カムスペーサ５９（抜け止め部材の一例）を介して抜け止め用ネジ５２が捻じ込まれている。すなわち、カムスペーサ５９は、抜け止め用ネジ５２により突部５０の先端部に取り付けられている。抜け止め用ネジ５２及びカムスペーサ５９は、溝部５８を挟んでカムベース３６と反対側に配置されている。カムスペーサ５９の幅は、溝部５８の幅よりも大きい。これらの複数のカムスペーサ５９により、突部５０が溝部５８から抜ける（すなわち、カムベース３６がリングカム４０から外れる）のを抑制することができる。
【００３６】
図５〜図７Ａに示すように、操作リング４２は、リングカム４０の上端部における外側面に取り付けられている。ユーザは、操作リング４２を手指で掴むことにより、リングカム４０をカムベース３６に対して回動させることができる。
【００３７】
図２〜図４及び図７Ａに示すように、アームベースマウント４４は、有底円筒状に形成されており、リングカム４０の外側面及び底部の下面を覆う位置に配置されている。アームベースマウント４４の底部における中央部には、センターシャフト３８を挿通するための円形状の孔６０が形成されている。アームベースマウント４４の底部の上面には、リングカム４０が回動可能に支持されている。なお、アームベースマウント４４は、例えばアルミダイキャスト等の金属で形成されている。
【００３８】
アームベースマウント４４の下端部には、ジャックベース６２が取り付けられている。ジャックベース６２の内部には、ジャック端子が実装されたジャック基板（図示せず）等が配置されている。
【００３９】
［１−２−３−２．昇降機構の動作］
次に、図７Ａ〜図８Ｂを参照しながら、昇降機構１６の動作について説明する。図８Ａは、アーム部材２６を最も上昇させた状態での、図２のＶＩＩ−ＶＩＩ線断面図である。図８Ｂは、図８Ａの一部を拡大して示す断面斜視図である。
【００４０】
図７Ａ及び図７Ｂに示す状態では、複数の第２のガイド部５６の各々の山部５６ａは、対応する第１のガイド部４８の谷部４８ｂに対向している。この状態では、アーム部材２６はターンテーブル８上のレコード盤４に対して最も下降しており、アーム部材２６のアームベースマウント４４の上端面からの高さＨ１は、最も低くなっている。
【００４１】
この状態から、ユーザがリングカム４０をカムベース３６に対して図７Ｂの矢印Ｒ１で示す方向に所定の角度（例えば、＋１２０°）だけ回動させることにより、複数の第２のガイド部５６がそれぞれ複数の第１のガイド部４８に沿ってスライドする。このとき、複数の第２のガイド部５６の各々の山部５６ａは、対応する第１のガイド部４８の谷部４８ｂから山部４８ａに向けて移動する。これにより、カムベース３６は、複数の第２のガイド部５６の各々の山部５６ａによって押し上げられることにより、リングカム４０に対してセンターシャフト３８の中心軸線Ｃ１に沿って上昇する。これに伴い、アーム部材２６は、カムベース３６及びアームベース２２とともに、ターンテーブル８上のレコード盤４に対してセンターシャフト３８の中心軸線Ｃ１に沿って上昇する。なお、リングカム４０をカムベース３６に対して回動させている間、カムベース３６の突部５０は、溝部５８の一端部から他端部まで溝部５８に沿って移動する。
【００４２】
図８Ａ及び図８Ｂに示す状態では、複数の第２のガイド部５６の各々の山部５６ａは、対応する第１のガイド部４８の山部４８ａに対向している。この状態では、アーム部材２６はターンテーブル８上のレコード盤４に対して最も上昇しており、アーム部材２６のアームベースマウント４４の上端面からの高さＨ２（＞Ｈ１）は、最も高くなっている。なお、高さＨ２と高さＨ１との差（Ｈ２−Ｈ１）は、例えば約６ｍｍである。
【００４３】
この状態から、リングカム４０をカムベース３６に対して図８Ｂの矢印Ｒ２で示す方向に所定の角度（例えば、−１２０°）だけ回動させることにより、複数の第２のガイド部５６がそれぞれ複数の第１のガイド部４８に沿ってスライドする。このとき、複数の第２のガイド部５６の各々の山部５６ａは、対応する第１のガイド部４８の山部４８ａから谷部４８ｂに向けて移動する。これにより、カムベース３６は、リングカム４０に対してセンターシャフト３８の中心軸線Ｃ１に沿って下降する。これに伴い、アーム部材２６は、カムベース３６及びアームベース２２とともに、ターンテーブル８上のレコード盤４に対してセンターシャフト３８の中心軸線Ｃ１に沿って下降する。なお、リングカム４０をカムベース３６に対して回動させている間、カムベース３６の突部５０は、溝部５８の他端部から一端部まで溝部５８に沿って移動する。
【００４４】
上述したようにアーム部材２６をターンテーブル８上のレコード盤４に対して昇降させることにより、アーム部材２６のレコード盤４からの高さ位置を調節することができる。これにより、レコード針がレコード盤４の溝をトレースする際に、アーム部材２６の姿勢を略水平に保つことができ、レコード盤４から音声信号を精度良くピックアップすることができる。
【００４５】
［１−２−４．ロック機構］
［１−２−４−１．ロック機構の構成］
次に、図３〜図５及び図９〜図１１を参照しながら、ロック機構１８の構成について説明する。図９は、実施の形態１に係るロック機構１８を示す斜視図である。図１０は、ロックプレート６８を省略した状態での、実施の形態１に係るロック機構１８を示す斜視図である。図１１は、実施の形態１に係るロック機構１８の一部を抜き出して示す斜視図である。なお、説明の都合上、図９及び図１０では、ジャックベース６２等の図示を省略してある。
【００４６】
ロック機構１８は、リングカム４０のカムベース３６に対する回動をロック（規制）するための機構である。図３、図４及び図９に示すように、ロック機構１８は、リングラバー６４（弾性部材の一例）と、一対のロックサポート６６ａ，６６ｂ（接触部材の一例）と、ロックプレート６８と、ロックシャフト７０（操作部材の一例）とを有している。
【００４７】
図３〜図５に示すように、リングラバー６４は、リングカム４０の外側面に取り付けられ、リングカム４０の外側面の全周に亘ってリング状に延びている。リングラバー６４は、例えばゴム材料で形成されている。なお、本実施の形態では、リングラバー６４をゴム材料で形成したが、これに限定されず、例えば樹脂材料等の種々の弾性材料で形成してもよい。
【００４８】
一対のロックサポート６６ａ，６６ｂは、アームベースマウント４４に移動可能に取り付けられ、リングラバー６４に接触することによりリングカム４０のカムベース３６に対する回動をロックするための部材である。なお、一対のロックサポート６６ａ，６６ｂは、例えば樹脂で形成されている。
【００４９】
図１１に示すように、ロックサポート６６ａは、サポート本体部７２ａと、取付片７４ａとを有している。サポート本体部７２ａは、プレート状に形成され、リングカム４０の外側面の周方向に沿って湾曲している。サポート本体部７２ａの一側辺には、傾斜面７６ａが形成されている。取付片７４ａは、サポート本体部７２ａの凹面側から延びている。取付片７４ａには、長孔７８ａが形成されている。
【００５０】
図１１に示すように、ロックサポート６８ｂは、上述したロックサポート６８ａと左右対称に形成されている。すなわち、ロックサポート６８ｂは、サポート本体部７２ｂと、取付片７４ｂとを有している。サポート本体部７２ｂは、プレート状に形成され、リングカム４０の外側面の周方向に沿って湾曲している。サポート本体部７２ｂの一側辺には、傾斜面７６ｂが形成されている。取付片７４ｂは、サポート本体部７２ｂの凹面側から延びている。取付片７４ｂには、長孔７８ｂが形成されている。
【００５１】
図３、図４、図９及び図１０に示すように、一対のロックサポート６６ａ，６６ｂは、アームベースマウント４４の側壁部に形成された切り欠き部８０に配置され、各々の取付片７４ａ，７４ｂが対向するように互いに隣接している。なお、リングラバー６４の一部は、アームベースマウント４４の切り欠き部８０を通して、アームベースマウント４４の外部に露出している。そのため、一対のロックサポート６６ａ，６６ｂの各々のサポート本体部７２ａ，７２ｂの凹面側は、リングラバー６４の一部に対向している。
【００５２】
図１０に示すように、一対のロックサポート６６ａ，６６ｂの各々の取付片７４ａ，７４ｂの長孔７８ａ，７８ｂには、アームベースマウント４４の底部の下面に形成された突起８２が移動可能に挿通されている。これにより、一対のロックサポート６６ａ，６６ｂの各々は、サポート本体部７２ａ，７２ｂがリングラバー６４から離れる解除位置（後述する図１２Ｂ及び図１２Ｃ参照）と、サポート本体部７２ａ，７２ｂがリングラバー６４に接触するロック位置（後述する図１３Ｂ及び図１３Ｃ参照）との間を移動可能である。なお、図１０に示すように、一対のロックサポート６６ａ，６６ｂの各々のサポート本体部７２ａ，７２ｂとアームベースマウント４４の切り欠き部８０の周縁部との間には、弾力性を有するクッション部材８４が介在されている。
【００５３】
ロックプレート６８は、一対のロックサポート６６ａ，６６ｂの各々を解除位置からロック位置に向けて押し込むための部材である。なお、ロックプレート６８は、例えば鉄等の金属で形成されている。図３、図４、図９及び図１１に示すように、ロックプレート６８は、水平部８６と、垂直部８８と、押込部９０と、取付部９２とを有している。
【００５４】
水平部８６には、アームベースマウント４４の突起８２が移動可能に挿通される長孔９４と、ロックシャフト７０の偏心軸１０８（後述する）が回動可能に挿通される孔９６とが形成されている。垂直部８８は、水平部８６の一端部から、水平部８６に対して略垂直に延びている。押込部９０は、垂直部８８の一端部に形成され、垂直部８８に対して略垂直に延びている。押込部９０の両端部にはそれぞれ、一対の傾斜部９８ａ，９８ｂが形成されている。取付部９２は、押込部９０の中央部から、水平部８６に対して略平行に延びている。取付部９２には、ネジ１００を挿通するための長孔１０２が形成されている。
【００５５】
図９に示すように、ネジ１００が取付部９２の長孔１０２を通してアームベースマウント４４に形成されたネジ孔１０４（図１０参照）に捻じ込まれることにより、ロックプレート６８がアームベースマウント４４に取り付けられている。このとき、ネジ１００と長孔１０２との間には遊びが存在するため、ロックプレート６８は、アームベースマウント４４の径方向に沿って往復移動することができる。水平部８６の長孔９４には、アームベースマウント４４の突起８２が移動可能に挿通されている。また、後述する図１２Ｃ及び図１３Ｃに示すように、押込部９０の一対の傾斜部９８ａ，９８ｂはそれぞれ、一対のロックサポート６６ａ，６６ｂの各々のサポート本体部７２ａ，７２ｂの傾斜面７６ａ，７６ｂに接触している。
【００５６】
ロックシャフト７０は、一対のロックサポート６６ａ，６６ｂの各々を解除位置とロック位置との間で移動させるための部材である。図３及び図４に示すように、ロックシャフト７０は、長尺状に形成され、アームベース２２、カムベース３６、リングカム４０及びアームベースマウント４４を貫通して配置されている。ロックシャフト７０は、その中心軸線を中心にアームベースマウント４４に対して回動可能である。
【００５７】
ロックシャフト７０の上端部には、ロックノブ１０６が形成されている。後述する図１２Ａに示すように、ロックノブ１０６は、アームベース２２の上面に配置されている。ユーザは、ロックノブ１０６を手指で摘むことにより、ロックシャフト７０をアームベースマウント４４に対して回動させることができる。ロックシャフト７０の下端部には、ロックシャフト７０の中心軸線に対して偏心した偏心軸１０８が形成されている。図９に示すように、偏心軸１０８は、ロックプレート６８の水平部８６の孔９６に回動可能に挿通されている。
【００５８】
［１−２−４−２．ロック機構の動作］
次に、図１２Ａ〜図１３Ｃを参照しながら、ロック機構１８の動作について説明する。図１２Ａは、一対のロックサポート６６ａ，６６ｂの各々が解除位置に位置している状態での、実施の形態１に係るトーンアームユニット１２を示す平面図である。図１２Ｂは、一対のロックサポート６６ａ，６６ｂの各々が解除位置に位置している状態での、実施の形態１に係るロック機構１８の一部を拡大して示す図である。図１２Ｃは、一対のロックサポート６６ａ，６６ｂの各々が解除位置に位置している状態での、図９のＸＩＩ−ＸＩＩ線断面図である。図１３Ａは、一対のロックサポート６６ａ，６６ｂの各々がロック位置に位置している状態での、実施の形態１に係るトーンアームユニット１２を示す平面図である。図１３Ｂは、一対のロックサポート６６ａ，６６ｂの各々がロック位置に位置している状態での、実施の形態１に係るロック機構１８の一部を拡大して示す図である。図１３Ｃは、一対のロックサポート６６ａ，６６ｂの各々がロック位置に位置している状態での、図９のＸＩＩ−ＸＩＩ線断面図である。なお、説明の都合上、図１２Ａ及び図１３Ａでは、バランスウェイト３２の図示を省略してある。
【００５９】
図１２Ａ〜図１２Ｃに示す状態では、一対のロックサポート６６ａ，６６ｂの各々は解除位置に位置している。この状態では、一対のロックサポート６６ａ，６６ｂの各々のサポート本体部７２ａ，７２ｂがリングラバー６４から離れているので、リングカム４０をカムベース３６に対して回動させることができる。
【００６０】
この状態から、リングカム４０のカムベース３６に対する回動をロックさせたい際には、ユーザは、ロックノブ１０６を手指で摘んで、ロックシャフト７０をアームベースマウント４４に対して図１３Ａの矢印Ｒ３で示す方向に回動させる。これにより、偏心軸１０８は、ロックシャフト７０の中心軸線を中心に、図１３Ｂの矢印Ｒ３で示す方向に回動する。このとき、偏心軸１０８がロックプレート６８の水平部８６の孔９６の周縁部を押圧することにより、ロックプレート６８は、図１３Ｂの矢印Ｘ１で示すように、一対のロックサポート６６ａ，６６ｂに近付く方向に移動する。これにより、図１３Ｃに示すように、押込部９０の一対の傾斜部９８ａ，９８ｂはそれぞれ、一対のロックサポート６６ａ，６６ｂの各々のサポート本体部７２ａ，７２ｂの傾斜面７６ａ，７６ｂを押し込むことにより、一対のロックサポート６６ａ，６６ｂの各々は解除位置からロック位置に移動する。このとき、図１３Ｂに示すように、クッション部材８４は、一対のロックサポート６６ａ，６６ｂの各々のサポート本体部７２ａ，７２ｂにより押圧されることにより圧縮されている。
【００６１】
図１３Ａ〜図１３Ｃに示すように、一対のロックサポート６６ａ，６６ｂの各々がロック位置に位置している状態では、一対のロックサポート６６ａ，６６ｂの各々のサポート本体部７２ａ，７２ｂがリングラバー６４に接触している。これにより、サポート本体部７２ａ，７２ｂとリングラバー６４との間に生じる摩擦力によって、リングカム４０のカムベース３６に対する回動がロックされる。このとき、リングラバー６４は、サポート本体部７２ａ，７２ｂによって押圧（接触）されることにより弾性変形する。
【００６２】
この状態から、リングカム４０をカムベース３６に対して回動させたい際には、ユーザは、ロックノブ１０６を手指で摘んで、ロックシャフト７０をアームベースマウント４４に対して図１２Ａの矢印Ｒ４で示す方向に回動させる。これにより、偏心軸１０８は、ロックシャフト７０の中心軸線を中心に、図１２Ｂの矢印Ｒ４で示す方向に回動する。このとき、偏心軸１０８がロックプレート６８の水平部８６の孔９６の周縁部を押圧することにより、ロックプレート６８は、図１２Ｂの矢印Ｘ２で示すように、一対のロックサポート６６ａ，６６ｂから離れる方向に移動する。これにより、図１２Ｂ及び図１２Ｃに示すように、一対のロックサポート６６ａ，６６ｂの各々は、クッション部材８４の反発力を受けて、ロック位置から解除位置に移動する。
【００６３】
［１−２−５．リフター機構］
［１−２−５−１．リフター機構の構成］
次に、図１４Ａ〜図１５Ｃを参照しながら、リフター機構２０の構成について説明する。図１４Ａは、載置台１２８が上限位置に位置している状態での、実施の形態１に係るリフター機構２０を示す斜視図である。図１４Ｂは、載置台１２８が上限位置に位置している状態での、実施の形態１に係るリフター機構２０を示す側面図である。図１４Ｃは、載置台１２８が上限位置に位置している状態での、実施の形態１に係るトーンアームユニット１２を示す側面図である。図１５Ａは、載置台１２８が下限位置に位置している状態での、実施の形態１に係るリフター機構２０を示す斜視図である。図１５Ｂは、載置台１２８が下限位置に位置している状態での、実施の形態１に係るリフター機構２０を示す側面図である。図１５Ｃは、載置台１２８が下限位置に位置している状態での、実施の形態１に係るトーンアームユニット１２を示す側面図である。なお、説明の都合上、図１４Ａ、図１４Ｂ、図１５Ａ及び図１５Ｂでは、アームベース２２及びアーム部材２６等の図示を省略してある。
【００６４】
リフター機構２０は、ヘッドシェル２８（アーム部材２６の先端部）をターンテーブル８上のレコード盤４に向けて下降させるための機構である。図１４Ａに示すように、リフター機構２０は、リフトアームベース１１０と、ギアダンパー１１２と、コイルバネ１１４（第２の付勢部材の一例）と、カム部材１１６と、レバー部材１１８とを有している。
【００６５】
図１４Ａ及び図１４Ｂに示すように、リフトアームベース１１０は、一対の支柱部１２０，１２２と、プレート部材１２４と、ラックギア１２６と、載置台１２８とを有している。一対の支柱部１２０，１２２は、カムベース３６に昇降可能に支持されており、カムベース３６の上面から鉛直上方に延びている。プレート部材１２４は、支柱部１２０に取り付けられており、支柱部１２０とともに昇降可能である。ラックギア１２６は、プレート部材１２４から鉛直下方に延びており、支柱部１２０とともに昇降可能である。
【００６６】
載置台１２８は、アーム部材２６を載置するための部材であり、一対の支柱部１２０，１２２の各上端部に支持されている。載置台１２８は、一対の支柱部１２０，１２２が昇降することにより、上限位置（図１４Ａ〜図１４Ｃ参照）と下限位置（図１５Ａ〜図１５Ｃ参照）との間を昇降可能である。載置台１２８が上限位置に位置している際には、ヘッドシェル２８はターンテーブル８上のレコード盤４から離れている。載置台１２８が下限位置に位置している際には、ヘッドシェル２８はターンテーブル８上のレコード盤４に近付き、レコード針はレコード盤４の溝に接触する。
【００６７】
図１４Ａに示すように、ギアダンパー１１２は、カムベース３６の上面に回動可能に支持されている。ギアダンパー１１２は、リフトアームベース１１０のラックギア１２６と噛み合わされている。ギアダンパー１１２は、載置台１２８が上限位置から下限位置まで下降している際に、載置台１２８に制動力（すなわち、載置台１２８の下降動作に逆らう力）を作用させる。
【００６８】
図１４Ｂに示すように、コイルバネ１１４は、カムベース３６の下方において支柱部１２０の外側面を覆うように配置されており、載置台１２８（支柱部１２０）を上限位置から下限位置に向けて付勢する。
【００６９】
図１４Ａ及び図１４Ｂに示すように、カム部材１１６は、カムベース３６の上面に回動可能に支持されている。カム部材１１６は、カム本体部１３０と、支持部１３２とを有している。カム本体部１３０は、略水平方向に延びる回動軸線Ｃ２を中心に回動する。支持部１３２は、カム本体部１３０の回動軸線Ｃ２から偏心した位置に形成されている。
【００７０】
レバー部材１１８は、カム部材１１６のカム本体部１３０に連結されている。ユーザがレバー部材１１８を手で回動させることにより、カム部材１１６を第１の回動位置（図１４Ａ及び図１４Ｂ参照）と第２の回動位置（図１５Ａ及び図１５Ｂ参照）との間で回動させることができる。図１４Ｂに示すように、カム部材１１６が第１の回動位置に位置している際には、支持部１３２は、プレート部材１２４を下方から支持する。これにより、カム部材１１６は、載置台１２８を上限位置に保持する。図１５Ｂに示すように、カム部材１１６が第２の回動位置に位置している際には、支持部１３２は、プレート部材１２４を下方から支持しない。これにより、カム部材１１６は、載置台１２８の上限位置での保持を解除する。
【００７１】
［１−２−５−２．リフター機構の動作］
次に、図１４Ａ〜図１５Ｃを参照しながら、リフター機構２０の動作について説明する。
【００７２】
図１４Ａ〜図１４Ｃに示す状態では、カム部材１１６は第１の回動位置に位置しており、載置台１２８は上限位置に保持されている。例えばレコード盤４を再生する際には、ターンテーブル８が回動している状態で、ユーザは、レバー部材１１８を図１５Ａ〜図１５Ｃの矢印Ｒ５で示す方向に回動させる。これにより、カム部材１１６は、図１５Ａ及び図１５Ｂの矢印Ｒ６で示す方向に、第１の回動位置から第２の回動位置まで回動する。その結果、載置台１２８は、コイルバネ１１４の付勢力により、アーム部材２６を載置した状態で、図１５Ａ〜図１５Ｃの矢印Ｘ３で示す方向に上限位置から下限位置に向けて下降する。このとき、載置台１２８は、ギアダンパー１１２による制動力を受けながら、上限位置から下限位置に向けて緩やかに下降するので、レコード針をレコード盤４に緩やかに近付けることができる。その結果、レコード盤４の再生をスムーズに開始することができる。
【００７３】
例えばレコード盤４の再生が終了した際には、図１５Ａ〜図１５Ｃに示す状態から、ユーザは、レバー部材１１８を図１４Ａ〜図１４Ｃの矢印Ｒ７で示す方向に回動させる。これにより、カム部材１１６は、図１４Ａ及び図１４Ｂの矢印Ｒ８で示す方向に、第２の回動位置から第１の回動位置まで回動する。その結果、載置台１２８は、カム部材１１６の支持部１３２によって押し上げられることにより、アーム部材２６を載置した状態で、図１４Ａ〜図１４Ｃの矢印Ｘ４で示す方向に下限位置から上限位置に向けて上昇する。これにより、レコード針をレコード盤４から離すことができる。
【００７４】
［１−３．効果等］
上述したように、本実施の形態において、トーンアームユニット１２は、レコード盤４を再生する再生装置２に用いられる。トーンアームユニット１２は、カートリッジ３０を先端部に取り付けるためのアーム部材２６と、アーム部材２６をレコード盤４に対して所定の軸線に沿って昇降させるための昇降機構１６とを備える。昇降機構１６は、アーム部材２６を支持するカムベース３６と、カムベース３６に対して所定の軸線を中心に回動可能に設けられたリングカム４０と、カムベース３６に形成され、リングカム４０の回動方向に沿って傾斜しながら延びる第１のガイド部４８と、リングカム４０に形成され、第１のガイド部４８に対向するように且つ回動方向に沿って傾斜しながら延びる第２のガイド部５６とを有する。カムベース３６は、リングカム４０がカムベース３６に対して回動した際に、第２のガイド部５６が第１のガイド部４８に沿ってスライドすることにより、リングカム４０に対して昇降する。
【００７５】
これにより、第１のガイド部４８と第２のガイド部５６とが互いに対向するように、カムベース３６とリングカム４０とを配置することにより、昇降機構１６をトーンアームユニット１２に容易に組み込むことができる。なお、従来のトーンアームユニットを搭載した再生装置に対して、外観を大きく変えることなく、昇降機構１６の構造のみを変えることができる。その結果、従来の再生装置のクラシカルな外観を好むユーザにとって満足度の高いものとなる。
【００７６】
また、本実施の形態において、昇降機構１６は、さらに、リングカム４０に形成され、第２のガイド部５６に沿って延びる溝部５８と、カムベース３６に形成され、溝部５８に移動可能に挿通された突部５０と、突部５０の先端部に取り付けられたカムスペーサ５９とを有する。
【００７７】
これにより、カムスペーサ５９によって、突部５０が溝部５８から抜けるのを抑制することができる。その結果、リングカム４０をカムベース３６に対して回動させた際に、カムベース３６がリングカム４０から不意に外れるのを抑制することができる。
【００７８】
また、本実施の形態において、第１のガイド部４８及び第２のガイド部５６の各々は、回動方向に沿って複数並んで配置されている。
【００７９】
これにより、リングカム４０をカムベース３６に対して回動させた際に、カムベース３６をリングカム４０に対して安定して昇降させることができる。
【００８０】
また、本実施の形態において、トーンアームユニット１２は、さらに、リングカム４０のカムベース３６に対する回動をロックするためのロック機構１８を備える。ロック機構１８は、リングカム４０の外側面に配置されたリングラバー６４と、リングラバー６４に接触するロック位置と、リングラバー６４から離れる解除位置との間を移動可能なロックサポート６６ａ，６６ｂと、ロックサポート６６ａ，６６ｂをロック位置と解除位置との間で移動させるためのロックシャフト７０とを有する。
【００８１】
これにより、ロックサポート６６ａ，６６ｂを解除位置からロック位置に移動させた際には、ロックサポート６６ａ，６６ｂがリングラバー６４に接触することにより、リングラバー６４が弾性変形する。その結果、ロックサポート６６ａ，６６ｂ等の寸法バラツキがある場合であっても、リングラバー６４の弾性変形量により上記の寸法バラツキを吸収することができるので、ロックサポート６６ａ，６６ｂをリングラバー６４に確実に接触させることができる。
【００８２】
また、本実施の形態において、リングラバー６４は、ゴム材料で形成され、リングカム４０の外側面の全周に亘ってリング状に延びている。
【００８３】
これにより、リングカム４０のカムベース３６に対する回動位置に拘わらず、ロックサポート６６ａ，６６ｂをリングラバー６４に確実に接触させることができる。
【００８４】
また、本実施の形態において、トーンアームユニット１２は、さらに、アーム部材２６の先端部をレコード盤４に向けて下降させるためのリフター機構２０を備える。リフター機構２０は、アーム部材２６を載置する載置台１２８であって、アーム部材２６の先端部をレコード盤４から離す上限位置と、アーム部材２６の先端部をレコード盤４に近付ける下限位置との間を昇降可能な載置台１２８と、載置台１２８が上限位置から下限位置まで下降している際に、載置台１２８に制動力を作用させるギアダンパー１１２とを有する。
【００８５】
これにより、載置台１２８は、ギアダンパー１１２による制動力を受けながら、上限位置から下限位置に向けて緩やかに下降するので、アーム部材２６の先端部をレコード盤４に緩やかに近付けることができる。その結果、レコード盤４の再生をスムーズに開始することができる。
【００８６】
また、本実施の形態において、リフター機構２０は、さらに、載置台１２８を上限位置から下限位置に向けて付勢するコイルバネ１１４と、載置台１２８を上限位置に保持する第１の回動位置と、載置台１２８の上限位置での保持を解除する第２の回動位置との間を回動するカム部材１１６と、カム部材１１６を第１の回動位置と第２の回動位置との間で回動させるレバー部材１１８とを有する。
【００８７】
これにより、ユーザは、レバー部材１１８を操作することにより、載置台１２８を上限位置と下限位置との間で容易に昇降させることができる。
【００８８】
また、本実施の形態において、レコード盤４を再生する再生装置２は、レコード盤４を載置するためのターンテーブル８と、ターンテーブル８を回動させる駆動源１０と、回動するターンテーブル８に載置されたレコード盤４から音声信号をピックアップする、上述したいずれかのトーンアームユニット１２とを備える。
【００８９】
これにより、第１のガイド部４８と第２のガイド部５６とが互いに対向するように、カムベース３６とリングカム４０とを配置することにより、昇降機構１６をトーンアームユニット１２に容易に組み込むことができる。なお、従来のトーンアームユニットを搭載した再生装置に対して、外観を大きく変えることなく、昇降機構１６の構造のみを変えることができる。その結果、従来の再生装置のクラシカルな外観を好むユーザにとって満足度の高いものとなる。
【００９０】
（実施の形態２）
次に、図１６〜図２０を参照しながら、実施の形態２について説明する。なお、実施の形態２では、上記実施の形態１と同一の構成要素には同一の符号を付して、その説明を省略する。
【００９１】
［２−１．ロック機構の構成］
図１６〜図１８を参照しながら、実施の形態２に係るトーンアームユニット１２Ａのロック機構１８Ａの構成について説明する。図１６は、実施の形態２に係るロック機構１８Ａを示す斜視図である。図１７は、一対のロックサポート６６Ａａ，６６Ａｂ及びロックプレート６８等を省略した状態での、実施の形態２に係るロック機構１８Ａを示す斜視図である。図１８は、実施の形態２に係るロック機構１８Ａの一部を抜き出して示す斜視図である。なお、説明の都合上、図１６及び図１７では、ジャックベース６２等の図示を省略してある。
【００９２】
図１６に示すように、ロック機構１８Ａは、上記実施の形態１に係るロック機構１８の構成要素に加えて、一対のバネ部材１３４ａ，１３４ｂ（第１の付勢部材の一例）を有している。
【００９３】
図１６及び図１８に示すように、バネ部材１３４ａは、コイル状のねじりバネ部１３６ａと、ねじりバネ部１３６ａから延びる線バネ部１３８ａとで形成されている。図１６及び図１７に示すように、ネジ１４０ａがねじりバネ部１３６ａを通してアームベースマウント４４Ａに形成されたネジ孔１４２ａに捻じ込まれることにより、ねじりバネ部１３６ａがアームベースマウント４４Ａに取り付けられている。図１６及び図１８に示すように、線バネ部１３８ａは、ロックサポート６６Ａａのサポート本体部７２Ａａに形成された開口部１４４ａに挿通されている。
【００９４】
バネ部材１３４ｂは、上述したバネ部材１３４ａと左右対称に形成されている。すなわち、図１６及び図１８に示すように、バネ部材１３４ｂは、コイル状のねじりバネ部１３６ｂと、ねじりバネ部１３６ｂから延びる線バネ部１３８ｂとで形成されている。図１６及び図１７に示すように、ネジ１４０ｂがねじりバネ部１３６ｂを通してアームベースマウント４４Ａに形成されたネジ孔１４２ｂに捻じ込まれることにより、ねじりバネ部１３６ｂがアームベースマウント４４Ａに取り付けられている。図１６及び図１８に示すように、線バネ部１３８ｂは、ロックサポート６６Ａｂのサポート本体部７２Ａｂに形成された開口部１４４ｂに挿通されている。
【００９５】
［２−２．ロック機構の動作］
次に、図１９及び図２０を参照しながら、ロック機構１８Ａの動作について説明する。図１９は、一対のロックサポート６６Ａａ，６６Ａｂの各々が解除位置に位置している状態での、実施の形態２に係るロック機構１８Ａを示す斜視図である。図２０は、一対のロックサポート６６Ａａ，６６Ａｂの各々がロック位置に位置している状態での、実施の形態２に係るロック機構１８Ａを示す斜視図である。なお、説明の都合上、図１９及び図２０では、ジャックベース６２等の図示を省略してある。
【００９６】
図１９に示す状態では、一対のロックサポート６６Ａａ，６６Ａｂの各々は解除位置に位置している。この状態から、ユーザがロックシャフト７０をアームベースマウント４４Ａに対して所定の方向に回動させた際には、図２０に示すように、一対のロックサポート６６Ａａ，６６Ａｂの各々は解除位置からロック位置に移動する。このとき、バネ部材１３４ａの線バネ部１３８ａ及びバネ部材１３４ｂの線バネ部１３８ｂはそれぞれ、一対のロックサポート６６Ａａ，６６Ａｂによって押圧されることにより弾性変形する。なお、バネ部材１３４ａのねじりバネ部１３６ａ及びバネ部材１３４ｂのねじりバネ部１３６ｂは、ほとんど弾性変形しない。
【００９７】
図２０に示す状態から、ユーザがロックシャフト７０をアームベースマウント４４Ａに対して上記所定の方向と反対方向に回動させた際には、図１９に示すように、一対のロックサポート６６Ａａ，６６Ａｂはそれぞれ、バネ部材１３４ａの線バネ部１３８ａ及びバネ部材１３４ｂの線バネ部１３８ｂの弾性復元力を受けて、ロック位置から解除位置に移動する。
【００９８】
［２−３．効果等］
本実施の形態において、ロック機構１８Ａは、さらに、ロックサポート６６Ａａ，６６Ａｂをロック位置から解除位置に向けて付勢するバネ部材１３４ａ，１３４ｂを有する
これにより、例えばリングラバー６４が粘着性を有している場合であっても、バネ部材１３４ａ，１３４ｂの付勢力により、ロックサポート６６Ａａ，６６Ａｂをリングラバー６４から容易に離すことができる。
【００９９】
（他の実施の形態）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記実施の形態１及び２で説明した各構成要素を組み合わせて、新たな実施の形態とすることも可能である。
【０１００】
そこで、以下、他の実施の形態を例示する。
【０１０１】
上記各実施の形態では、第１のガイド部４８と第２のガイド部５６との間に隙間を形成したが、これに限定されず、第１のガイド部４８と第２のガイド部５６とを互いに接触（密着）させてもよい。
【０１０２】
以上のように、本開示における技術の例示として、実施の形態を説明した。そのために、添付図面及び詳細な説明を提供した。
【０１０３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０４】
また、上述の実施の形態は、本開示における技術を例示するためのものであるから、特許請求の範囲又はその均等の範囲において種々の変更、置き換え、付加、省略などを行うことができる。
【産業上の利用可能性】
【０１０５】
本開示は、レコード盤を再生するための再生装置に用いられるトーンアームユニットに適用可能である。
【符号の説明】
【０１０６】
２  再生装置
４  レコード盤
６  筐体
８  ターンテーブル
１０  駆動源
１２，１２Ａ  トーンアームユニット
１４  トーンアーム部
１６  昇降機構
１８，１８Ａ  ロック機構
２０  リフター機構
２２  アームベース
２４  支持機構
２６  アーム部材
２８  ヘッドシェル
３０  カートリッジ
３２  バランスウェイト
３４  アームレスト
３６  カムベース
３８  センターシャフト
４０  リングカム
４２  操作リング
４４，４４Ａ  アームベースマウント
４６，１００，１４０ａ，１４０ｂ  ネジ
４８  第１のガイド部
４８ａ，５６ａ  山部
４８ｂ，５６ｂ  谷部
５０  突部
５０ａ，１０４，１４２ａ，１４２ｂ  ネジ孔
５２  抜け止め用ネジ
５４，６０，９６  孔
５６  第２のガイド部
５８  溝部
５９  カムスペーサ
６２  ジャックベース
６４  リングラバー
６６ａ，６６ｂ，６６Ａａ，６６Ａｂ  ロックサポート
６８  ロックプレート
７０  ロックシャフト
７２ａ，７２ｂ，７２Ａａ，７２Ａｂ  サポート本体部
７４ａ，７４ｂ  取付片
７６ａ，７６ｂ  傾斜面
７８ａ，７８ｂ，９４，１０２  長孔
８０  切り欠き部
８２  突起
８４  クッション部材
８６  水平部
８８  垂直部
９０  押込部
９２  取付部
９８ａ，９８ｂ  傾斜部
１０６  ロックノブ
１０８  偏心軸
１１０  リフトアームベース
１１２  ギアダンパー
１１４  付勢部材
１１６  カム部材
１１８  レバー部材
１２０，１２２  支柱部
１２４  プレート部材
１２６  ラックギア
１２８  載置台
１３０  カム本体部
１３２  支持部
１３４ａ，１３４ｂ  バネ部材
１３６ａ，１３６ｂ  ねじりバネ部
１３８ａ，１３８ｂ  線バネ部
１４４ａ，１４４ｂ  開口部
【図１】
2018106793.tif 000003
【図２】
2018106793.tif 000004
【図３】
2018106793.tif 000005
【図４】
2018106793.tif 000006
【図５】
2018106793.tif 000007
【図６】
2018106793.tif 000008
【図７Ａ】
2018106793.tif 000009
【図７Ｂ】
2018106793.tif 000010
【図８Ａ】
2018106793.tif 000011
【図８Ｂ】
2018106793.tif 000012
【図９】
2018106793.tif 000013
【図１０】
2018106793.tif 000014
【図１１】
2018106793.tif 000015
【図１２Ａ】
2018106793.tif 000016
【図１２Ｂ】
2018106793.tif 000017
【図１２Ｃ】
2018106793.tif 000018
【図１３Ａ】
2018106793.tif 000019
【図１３Ｂ】
2018106793.tif 000020
【図１３Ｃ】
2018106793.tif 000021
【図１４Ａ】
2018106793.tif 000022
【図１４Ｂ】
2018106793.tif 000023
【図１４Ｃ】
2018106793.tif 000024
【図１５Ａ】
2018106793.tif 000025
【図１５Ｂ】
2018106793.tif 000026
【図１５Ｃ】
2018106793.tif 000027
【図１６】
2018106793.tif 000028
【図１７】
2018106793.tif 000029
【図１８】
2018106793.tif 000030
【図１９】
2018106793.tif 000031
【図２０】
2018106793.tif 000032